(57)【要約】      （修正有）【課題】引き戸式のドア装置において、簡単、かつ、容易に防犯性を高めるこじ開け防止装置の提供。【解決手段】ロック体４ａと、ロック体受け片５ａとによる施錠装置が設けられた既設の自動ドア装置に、ロック体４ａが貫通する主貫通孔７ｃが開設され、ドア体表裏面の下端縁に積層する起立片７ａが一体形成された主プレート７と、主プレート７に一体的に固定され、ドア体から突出するロック体４ａとガイド溝３ｃの溝底片３ｂとの間に位置し、かつ、ロック体受け片５ａに閉鎖側から係止してドア体を開放規制する第一補助ロック片１０ａとを備えたこじ開け防止装置を、下側ガイドレール３上に載置する構成とする。【選択図】図２
2008138372.tif 000002
【特許請求の範囲】
【請求項１】
開口部の下端に設けたガイド溝に沿って開口部を開閉するドア体と、該ドア体の下端から出没するロック体と、ガイド溝に設けられて全閉姿勢のドア体から突出するロック体に係止してドア体の開放規制をするロック受けと、を備えた施錠装置を設けた引き戸式のドア装置に、こじ開け防止装置を設けるにあたり、前記こじ開け防止装置は、予めガイド溝のロック受け配設部の閉鎖側に載置し、ドア体を全閉姿勢として施錠操作することにより、ロック体とロック受けとの係止状態を解除させるこじ開け動作に対し、施錠装置に係止してドア体を開放規制するように構成されている引き戸式のドア装置におけるこじ開け防止装置。
【請求項２】
こじ開け防止装置は、ロック体が貫通する貫通孔が開設され、ドア体表裏面の下端縁に積層する起立片が一体形成された主プレートと、主プレートに一体的に固定され、ドア体から突出するロック体とガイド溝の溝底片との間に位置し、かつ、ロック受けに閉鎖側から係止してドア体を開放規制する第一補助ロック片とを備えて構成されている請求項１に記載の引き戸式のドア装置におけるこじ開け防止装置。
【請求項３】
こじ開け防止装置は、主プレートに積層され、ロック体が貫通する貫通孔が開設される補助プレートを備えて構成され、主プレートおよび補助プレートは、ロック体に開放側から係止してドア体を開放規制する第二補助ロック片に構成されている請求項１または２に記載の引き戸式のドア装置におけるこじ開け防止装置。
【請求項４】
主プレートと第二補助ロック片とに開設される貫通孔は、開閉方向に長く形成されている請求項１乃至３の何れか１項に記載の引き戸式のドア装置におけるこじ開け防止装置。
【発明の詳細な説明】
【技術分野】
【０００１】
本発明は、ビル等の出入り口部に設けられる引き戸式のドア装置におけるこじ開け防止装置の技術分野に属するものである。
【背景技術】
【０００２】
一般に、オフィスや商店の出入り口部となる開口部にドア体を設け、該ドア体を、開口部近傍の通行者の検知に伴い開閉機を駆動制御して開口部の幅方向に開閉作動させるようにした引き戸式の自動ドア装置を設けることがある。このものにおいて、施錠装置を、ドア体の戸先側に下方に向けて出没自在に設けられるロック体と、ドア体の移動案内をする開口部の下端（床面）のガイド溝に設けたロック受けとで構成し、全閉姿勢のドア体から下方に向けて突出するロック体がロック受けに対し、所定の上下方向の係止代を存して閉鎖側から係止してすることにより、ドア体の開放規制をするように構成したものがある。ところでこのような引き戸式のドア装置では、ドア体と、該ドア体を吊持する上側ガイドレールとの間に上下方向の遊びが必要であり、該遊びは可及的に小さく設定されるものの、ドア体を強く上動させてロック体とロック受けとの係止状態を解除させるようなこじ開け動作があった場合では、ロック体とロック受けとの上下方向の係止代を越えることがある。このようなドア装置では、ドア体の前記係止部近傍部位の下端部と床面との間に治具等を挿し込んでドア体を無理矢理持ち上げるようなこじ開け動作がなされると、ロック体とロック受けとの係止が解除されて、ドア体がこじ開けられてしまうことがあり、対策が求められている。
【０００３】
この対応策として、ドア体の下端面と開口部の下端側のガイド溝とに、ドア体の全閉姿勢で上下方向に積層するロック片をそれぞれ固定することで構成されるこじ開け防止装置を設け、ドア体のこじ開け動作を規制するように構成したもの（特許文献１）や、ドア体の上端面と開口部の上端側のガイドレールとに、ドア体の全閉姿勢で互いに係脱可能な凹凸面が形成されたロック片をそれぞれ固定することで構成されるこじ開け防止装置を設け、ドア体のこじ開け動作に伴いロック片同士が係合することによりドア体の開放規制をするようにしたもの（特許文献２）等が提唱されている。
【特許文献１】特開２００１−７３６２１
【特許文献２】特開平１１−３５０８４２号公報
【発明の開示】
【発明が解決しようとする課題】
【０００４】
ところが、前記従来のものは、何れのものもドア体の上端面、あるいは、下端面にロック片を固定する構成となっている。このため、ドア体を新規に設置する場合では問題なくこじ開け防止機能を備えたものとすることができるが、既設のドア装置に対してこのようなこじ開け装置を設けようとした場合では、ドア体をガイドレールから取り外し、ドア体とガイドレールとにそれぞれロック片を設けなければならず、専門の業者による作業が必要となり、作業が面倒、かつ、コスト高になるうえ、設置時間が長く、こじ開け防止機能を緊急に設置したいような場合では、速やかな対応が困難であり、ここに本発明の解決すべき課題がある。
【課題を解決するための手段】
【０００５】
本発明は、上記の如き実情に鑑みこれらの課題を解決することを目的として創作されたものであって、請求項１の発明は、開口部の下端に設けたガイド溝に沿って開口部を開閉するドア体と、該ドア体の下端から出没するロック体と、ガイド溝に設けられて全閉姿勢のドア体から突出するロック体に係止してドア体の開放規制をするロック受けと、を備えた施錠装置を設けた引き戸式のドア装置に、こじ開け防止装置を設けるにあたり、前記こじ開け防止装置は、予めガイド溝のロック受け配設部の閉鎖側に載置し、ドア体を全閉姿勢として施錠操作することにより、ロック体とロック受けとの係止状態を解除させるこじ開け動作に対し、施錠装置に係止してドア体を開放規制するように構成されている引き戸式のドア装置におけるこじ開け防止装置である。
請求項２の発明は、こじ開け防止装置は、ロック体が貫通する貫通孔が開設され、ドア体表裏面の下端縁に積層する起立片が一体形成された主プレートと、主プレートに一体的に固定され、ドア体から突出するロック体とガイド溝の溝底片との間に位置し、かつ、ロック受けに閉鎖側から係止してドア体を開放規制する第一補助ロック片とを備えて構成されている請求項１に記載の引き戸式のドア装置におけるこじ開け防止装置である。
請求項３の発明は、こじ開け防止装置は、主プレートに積層され、ロック体が貫通する貫通孔が開設される補助プレートを備えて構成され、主プレートおよび補助プレートは、ロック体に開放側から係止してドア体を開放規制する第二補助ロック片に構成されている請求項１または２に記載の引き戸式のドア装置におけるこじ開け防止装置である。
請求項４の発明は、主プレートと第二補助ロック片とに開設される貫通孔は、開閉方向に長く形成されている請求項１乃至３の何れか１項に記載の引き戸式のドア装置におけるこじ開け防止装置である。
【発明の効果】
【０００６】
請求項１の発明とすることにより、既設のドア装置に対し、簡単、かつ、容易にこじ開け防止装置を設けることができる。
請求項２、３の発明とすることにより、既設のドア装置に対し、確実なこじ開け防止機能を簡単、かつ、容易に付与することができる。
請求項４の発明とすることにより、設置状況の異なるドア装置にも対応することができる。
【発明を実施するための最良の形態】
【０００７】
つぎに、本発明の実施の形態について、図面に基づいて説明する。
図面において、１は出入り口部を構成する開口部に設けられた自動ドア装置であって、該自動ドア装置１を構成する左右一対（間口幅方向一対）のドア体２は、開口部上方および、開口部に隣接する左右躯体の上方にわたり長尺状に設けられた上側ガイドレール（図示せず）に移動自在に吊持され、上側ガイドレールと開口部下端部を構成する床面Ｆ側に配された下側ガイドレール３に沿って開閉作動する引き戸式に構成されている。そして、これらドア体２は、開口部の表裏近傍部位の通行者の検知に基づいて、図示しない開閉機が駆動制御され、ドア体２の戸先同士が互い当接して開口部を閉鎖する全閉姿勢と、ドア体２同士が互いに離間する方向に移動して開口部を全開する全開姿勢との間を開閉移動するように設定されている。
【０００８】
前記下側ガイドレール３は床面Ｆに埋設状に敷設されており、ドア体２の表裏方向（前後方向、屋内外方向）に対向する一対の溝側片３ａと、これら溝側片３ａの下端縁を連結する溝底片３ｂとによりガイド溝３ｃが形成されているとともに、各溝側片３ａの上縁部からは表裏方向外方に延出する延出片３ｄがそれぞれ形成されており、延出片３ｄの上面が床面Ｆよりも僅かに上位に位置する状態で固定されている。
これに対し、ドア体２は、金属製の四周框材２ａの内側にガラス体２ｂを嵌め込むことで構成されており、下端部を構成する框材（下側框材）２ａの下端面と下側ガイドレール３との間には、所定の間隙Ｈが設けられるように設定されている。そして、ドア体２の下側框材２ａには、左右方向中間部に位置し、左右一対の振れ止め体２ｃが下方に突出して設けられており、これら振れ止め体２ｃの下端部が下側ガイドレール３のガイド溝３ｃに嵌入するように設定されている。これによって、ドア体２は、下端部における移動案内と、表裏方向の振れ止めとを受けるように設定されている。
【０００９】
そして、各ドア体２と下側ガイドレール３との間には施錠装置がそれぞれ設けられるが、各施錠装置は、各ドア体２が全閉姿勢となったときの各戸先側であって、戸先端よりは戸尻側に偏寄した部位に位置してそれぞれ設けられている。
つまり、前記ドア体２を構成する金属製の四周框材２ａのうち、下端部を構成する框材（下側框材）２ａの戸先側には、本発明のロック体４ａを出没させるためのロック体ユニット４が設けられている。前記ロック体ユニット４は、所定の操作、例えば、下側框材２ａの裏面側（屋内側）に設けられた操作摘みを正逆回転する等の操作を行うことで、ロック体４ａを、下側框材２ａの下端面から下方に突出させる施錠姿勢と、下側框材２ａ内に没入させる解錠姿勢とに姿勢変姿させるように構成されている。尚、前記構成は、従来汎用のものが用いられているので、ここでの詳細な説明は省略する。ここで、ロック体４ａの施錠姿勢において、ロック体４ａの下側框材２ａ下端面からの突出量は、前記下側ガイドレール３と下側框材２ａとの間の前記間隙Ｈよりも大きく、先端部が下側ガイドレールガイド溝３ｃに嵌入する突出量に設定されている。
【００１０】
一方、下側ガイドレール３の左右方向中間部位であって、全閉姿勢となった各ドア体２から下方に突出するロック体４ａ位置よりもそれぞれ戸尻側に隣接する部位であって、全閉姿勢となったドア体２から突出する振れ止め体２ｃよりは戸先側に位置してロック受け５が設けられている。前記ロック受け５は、下側ガイドレールガイド溝３ｃの溝幅と略同様の幅寸法を備えた長尺平板状の金属材を、板面がガイド溝３ｃの溝底片３ｂに対向する状態で長さ方向において山形状に折曲することにより、溝底片３ｂに対して直交状となる（起立する）ロック体受け片５ａ、該ロック体受け片５ａの戸尻側に傾斜状に配される傾斜片５ｂ、ロック体受け片５ａの戸先側、傾斜片５ｂの戸尻側にそれぞれ延出してガイド溝３ｃの溝底片３ｂに一体的に固定される固定片５ｃとが形成されている。そして、ロック体受け片５ａの上端位置は、下側ガイドレール３の延出片３ｄの上端面と同位置となるように設定されている。これによって、全閉姿勢のドア体２において、ロック体４ａを施錠姿勢とすることにより、下側ガイドレールガイド溝３ｃに嵌入するロック体４ａの先端部がロック体受け片５ａの上端部に閉鎖側から対向するように設定されている。そして、この状態において、ドア体２を開放しようとしたとき、ロック体４ａがロック体受け片５ａに係止（当接）してドア体２の開放を規制するように設定されている。ここで、施錠姿勢のロック体４ａ先端部とロック体受け片５ａ上端部とが係止する上下方向長さに相当する係止代（係止長さ）は、第一係止ストロークＬ１に設定されている。
【００１１】
６は本発明が実施されたこじ開け防止装置であって、該こじ開け防止装置６は、自動ドア装置１を全閉状態として各ドア体２を施錠する際に、各ドア体２を全閉姿勢とする前の段階で、下側ガイドレール３の所定の箇所に載置するだけの簡単な操作で、ドア体２のこじ開け防止ができるように構成されている。これによって、既設の自動ドア装置に設ける場合であっても、従来のもののようにドア体を取り外すような面倒、かつ、専門作業者による作業が必要となるような作業をすることなく、自動ドア装置１にこじ開け防止機能を付与することができるように構成されている。
【００１２】
ここで、前記こじ開け防止装置６を説明するにあたり、該こじ開け防止装置６は、左右一対のドア体２に対してそれぞれ一つづつ設けられるものであるが、これらのこじ開け防止装置６は、同様に形成したものを左右方向に反転させるだけでそれぞれ対応することができる構成であり、ここでは、図２において右側に配されるドア体２用のこじ開け防止装置６について詳細を説明し、左側のドア体２用のこじ開け防止装置６についての説明は省略する。
さて、こじ開け防止装置６は、下側ガイドレール３の延出部３ｄの上面に載置される主プレート７を備えて構成されており、該主プレート７を構成する本体部７ａは、ガイド溝３ｃの溝幅よりも幅広で、延出部３ｄの表裏方向幅に相当する板幅を備えた矩形状プレート体で構成されている。さらに、本体部７ａの左右長さは、本実施の形態では、全閉姿勢のドア体２の戸先対向位置からロック体４ａを越えてロック受け５配設部に対向する部位に至る長さに設定されているが、本体部７ａの左右長さを、全閉姿勢のドア体２の戸先側に配される振れ止め体２ｃに隣接する部位にまで延長することができ、このようにすることにより、ドア体２の下方に形成される間隙Ｈを左右方向に長く覆うことができて防犯性を一層高めることができる。さらに、主プレート７は、前記本体部７ａの表裏両側縁部から上方に起立する一対の起立片７ｂとを備えて構成されている。そして、前記各起立片７ｂの上下方向長さは、ドア体２と下側ガイドレール３とのあいだに形成される間隙Ｈよりも長く設定され、後述するように、こじ開け防止装置６をガイドレール３上に載置してドア体２を全閉姿勢としたとき、ドア体２表裏面の下端縁部に積層する長さに設定されている。さらに、主プレート本体部７ａの中央部には、ロック体４ａが遊嵌可能な孔幅を備えた主貫通孔７ｃが左右方向に長く形成されている。
【００１３】
前記主プレート本体部７ａの上下面には、それぞれ本発明の補助プレートに相当する第一スペーサ８が積層されるが、各第一スペーサ８は、本体部７ａよりも僅かに幅狭であるが、ガイド溝３ｃの溝幅よりは幅広の板幅で、かつ、本体部７ａの略半分の左右長さに設定されている。そして、第一スペーサ８の右側部位には、主プレート７の主貫通孔７ｃと同じ孔幅を備えたロック体用貫通孔８ａが左右方向に長い長孔状に開設されている。さらに、第一スペーサ８の左側部位には、左右一対の固定螺子用貫通孔８ｂが開設されている。
そして、主プレート７の下側に配設される第一スペーサ８の下方には、下側ガイドレールガイド溝３ｃの溝深さに応じて適宜枚数の第二スペーサ９が積層されるように設定されている。前記各第二スペーサ９の板幅は、第一スペーサ８の板幅より幅狭で、ガイド溝３ｃに嵌入できる板幅に設定され、左右長さは、第一スペーサ８の左側部位と同様の左右長さを備えて形成されており、第一スペーサ固定螺子用貫通孔８ｂに連通する左右一対の固定螺子用貫通孔９ａがそれぞれ開設されている。
【００１４】
そして、最下位に位置する第二スペーサ９の下端面に、本発明の第一補助ロック片１０ａが一体形成された補助ロックプレート１０が積層されるように設定されている。前記補助ロックプレート１０は、前記第二スペーサ９と同様の板幅（ガイド溝３ｃに嵌入可能な板幅）を存した金属製板材を折曲し、第二スペーサ９と同形状に形成され、固定螺子用貫通孔１０ｂが開設された基端側プレート部１０ｃと、該基端側プレート部１０ｃの右端縁から下方に延出する段差片１０ｄと、該段差片１０ｄの下端縁部から右方に延出した前述の第一補助ロック片１０ａとがクランク形状に形成されている。さらに、補助ロックプレート１０は、基端側プレート１０ｃの下端面に固定螺子用貫通孔１０ｂに連通するナット１１が一体的に固定されている。
【００１５】
そして、こじ開け防止装置６は、主プレート本体部７ａの上下面に第一スペーサ８を積層するとともに、下面側の第一スペーサ８の下方に適宜枚数の第二スペーサ９を積層し、さらに、第二スペーサ９の下方に補助ロックプレート１０を積層し、第一、第二スペーサ８、９と補助ロックプレート１０とに連通状に開設されている固定螺子用貫通孔８ｂ、９ａ、１０ｂ、そして、主プレート本体部７ａの主貫通孔７ｃとを連通させた状態とし、上側の第一スペーサ８の固定螺子用貫通孔８ｂ側から挿入されたボルト１２を、補助ロックプレート１０の基端側プレート１０ｃに一体的に固定されたナット１１に螺合することにより一体化されるように設定されている。このとき、第一、第二スペーサ８、９と補助ロックプレート１０とは、主プレート７の主貫通孔７ｃ形成部位の左右方向に位置調整された適位置においてボルト１２止めすることにより、ドア体２と施錠装置との位置関係に対し、後述するような位置関係のこじ開け防止装置６が組み込まれるように設定されている。
【００１６】
このように組み込まれたこじ開け防止装置６は、主プレート７に開設された主貫通孔７ｃと第一スペーサ８に形成されるロック体用貫通孔８ａとが連通し、これら貫通孔７ｃ、８ａの下方に第一補助ロック片１０ａが臨むことができ、該第一補助ロック片１０ａの右端縁は、第一スペーサ８のロック体用貫通孔８ａの右側の孔端縁よりも僅かに左側に位置するように設定されている。そして、こじ開け防止装置６は、主プレート７の下面の第一スペーサ８を、下側ガイドレール延出片３ｄ上面の所定の位置（ドア体２の戸先側）において載置する状態でセットされるが、該セット状態において、補助ロックプレート１０の第一補助ロック片１０ａは、下側ガイドレールガイド溝３ｃの溝底片３ｂに近接対向するが、溝底片３ｂに当接することはなく、かつ、第一補助ロック片１０ａの右端縁部（先端縁部）が、ガイド溝３ｃに設けたロック受け５のロック体受け片５ａに近接対向し、第一補助ロック片１０ａの直上にロック体４ａが対向する位置関係（第一補助ロック片１０ａがロック体４ａとガイド溝３ｃの溝底片３ｂとの間に位置する位置関係）となり、さらに、こじ開け防止装置６は、前記セット状態において、全閉姿勢のドア体２の戸先側位置と、こじ開け防止装置６の左端縁部とが略同位置となる位置関係となるように設定されている。
因みに、第一、第二スペーサ８、９と補助ロックプレート１０とは、主プレート７に対して左右方向位置調整自在に固定可能に構成されており、これによって、前記調整範囲内において可能な限り設置状況の異なるドア装置にも対応できるように設定されている。
【００１７】
そして、前記状態のこじ開け防止装置６に対し、ドア体２を全閉姿勢とし、ドア体２のロック体ユニット４を操作してロック体４ａを施錠姿勢とすると、下方に突出するロック体４ａの先端部は、こじ開け防止装置６の主貫通孔７ｃ、および、ロック体用貫通孔８ａを貫通し、これら貫通孔７ｃ、８ａを貫通したロック体４ａの先端面（下端面）が、補助ロックプレート１０の第一補助ロック片１０ａのプレート面に対向するように設定されており、施錠姿勢のロック体４ａの先端面と第一補助ロック片１０ａの下面との間の上下方向長さ（係合代）が第二係止ストロークＬ２として設定される。尚、第二係止ストロークＬ２は、第二スペーサ９の積層枚数に応じて適宜調整が可能である。
一方、主プレート起立片７ｂは、ドア体２の下側框材２ａ下端縁部の表裏面に近接対向する状態で積層する位置関係となっており、これによって、ドア体２と下側ガイドレール３とのあいだに形成される間隙Ｈ、さらには、該隙間Ｈに露出するロック体４ａは、こじ開け防止装置６の起立片７ｂと下側の第一スペーサ８とにより覆蓋されている。
また、主プレート７の上面に積層された第一スペーサ８の上面は、ドア体２の下端面（下側框材２ａの下面）に近接対向するように設定されている。因みに、第一スペーサ８は、ドア体２の下端縁と主プレート本体部７ａとの間隔に応じて適宜枚数を積層することができる。これによって、ドア体２（下側框材２ａ）の下端面とこじ開け防止装置６との間は、前記間隙Ｈから、主プレート本体部７ａの板厚と第一スペーサ８の二枚の板厚との和である板厚長さＬ３を差し引いた長さであって、対向間隙Ｌ４（＝Ｈ−Ｌ３）に設定されている。尚、対向間隔Ｌ４は、主プレート７の上面に積層される第一スペーサ８の積層枚数により適宜調整が可能である。
【００１８】
そして、こじ開け防止装置６を下側ガイドレール３上の所定位置に載置した状態でドア体２を全閉姿勢とし、施錠装置の施錠がなされたドア体２に対し、不審者によりドア体２を無理矢理持ち上げてロック体４ａとロック体受け片５ａとの係止状態を解除させるようなこじ開け動作がなされた場合では、ドア体２の施錠装置（ロック体ユニット４）近傍部位が持ち上げられることになるが、このものでは、ロック体４ａの位置が起立片７ｂにより覆蓋されていて、こじ開け動作に最適な箇所がわからなくなっていて防犯性に優れるうえ、主プレート７の起立片７ｂがドア体２の表面に近接して積層しており、ドア体２の下面に治具等を挿し込むことができ難く、防犯効果を得ることができる。
【００１９】
しかしながら、このようにこじ開け防止装置６により施錠装置近傍部位が覆われている場合、ドア体２の下面に治具を差し込むことが難しいことから、こじ開け防止装置６とドア体２とを一体に持ち上げるようなこじ開け動作を受けることが想定され、この場合では、主プレート本体部７ａ、あるいは、主プレート７の下方の第一スペーサ８と、下側ガイドレール延出片３ｄとのあいだに治具が挿入される。この動作によりドア体２を開放させようとした場合、図６（Ｂ）に示すように、こじ開け防止装置６がドア体２の下端面に突き当たるまで上動の後、ロック体４ａがロック体受け片５ａを乗り越えるための第一係止ストロークＬ１の上動がなされても、第一補助ロック片１０ａがロック体受け片５ａに係止する第二係止ストロークＬ２に基づく係止がなされることでドア体２の開放規制がなされるように設定されている。このように、ドア体２は、第一、第二係止ストロークＬ１、Ｌ２の和から、ドア体２とこじ開け装置６との間の対向間隔Ｌ４を差し引いた第一上動長さ（Ｌ１＋Ｌ２−Ｌ４）を越える上動変位がなされない限り開放されることはなく、該第一上動長さは、ドア体２の設置にあたりドア体２と上側ガイドレールとの間に形成される遊びよりも長くなるように設定されている。これによって、ドア体２は、前記第一係止ストロークＬ１の上動がなされた後、さらに、ドア装置２の設置に必要な遊びに基づく上動がなされても、第一補助ロック片１０ａがロック体受け片５ａに係止してドア体２が開放されることはなく、ドア体２の確実な開放規制がなされて、こじ開け防止機能を発揮できるように構成されている。
【００２０】
また、こじ開け防止装置６の主プレート起立片７ｂとドア体２の下側框材２ａとの間に無理矢理治具を挿し込んだり、こじ開け防止装置６の配設されない箇所におけるドア体２の下端面と下側ガイドレール延出片３ｄとの間に治具を挿し込んでドア体２を持ち上げるようなこじ開け動作を受けることも想定される。このような場合、図７に示すように、こじ開け防止装置６が下側ガイドレール延出片３ｄ上に載置されているため、ロック体４ａがロック体受け片５ａ（延出片３ｄ）を乗り越えただけではドア体２を開放することができず、ドア体２を、さらに、延出片３ｄの上方に積層される二枚の第一スペーサ８および主プレート７の板厚長さＬ３に相当する上動がなされないと、ロック体４ａがロック体用貫通孔８ａの戸尻側の孔縁に係止（ロック体４ａにロック体用貫通孔８ａの戸尻側の孔縁が開放側から係止）してドア体２を開放させることができない。従って、この場合では、前記二枚の第一スペーサ８のロック体用貫通孔８ｃの孔縁がロック体４ａに開放側から係止するように構成されている。これによって、主プレート７と第一スペーサ８とが板厚長さＬ３を備えた第二補助ロック片として機能し、第一係止ストロークＬ１に前記板厚長さＬ３を加えた第二上動長さ（Ｌ１＋Ｌ３）を越える上動変位がなされない限りドア体２は開放規制されるように設定され、該第二上動長さは、ドア体２の設置にあたりドア体２と上側ガイドレールとの間に形成される遊びよりも長くなるように設定されている。これによって、ドア体２は、第一係止ストロークＬ１の上動がなされた後、さらに、ドア装置２の設置に必要な遊びに基づく上動がなされても、ロック体４ａがこじ開け防止装置６の第一スペーサ８のロック体用貫通孔８ａに係止してドア体２が開放されることはなく、ドア体２の確実な開放規制がなされて、こじ開け防止機能を発揮できるように設定されている。
このように、こじ開け防止装置６は、ドア体２の設置状態に応じて第一、第二スペーサ８、９の枚数、主プレート７に対する第一、第二スペーサ８、９と補助ロックプレート１０との取り付け位置とを予め設定した状態に組み込み、該設定状態に組み込んだ後は、何ら調整することなく、こじ開け防止装置６を単に下側ガイドレール３上の設定位置に載置するだけで、こじ開け防止機能を得ることができる。
【００２１】
また、本実施の形態では、第一スペーサロック体用貫通孔８ａの戸尻側の孔縁が第二補助ロック片として機能しているが、第一スペーサ８は、下側ガイドレール３とドア体２下端面との間の間隙Ｈと起立片７ｂの上下長さとの関係に対応して、主プレート７の上下面何れにも積層することができる。そして、主プレート７の下面にのみ第一スペーサ８を積層する場合では、第二補助ロック片として機能する主プレート７の主貫通孔７ｃの戸尻側孔縁と第一スペーサ８のロック体用貫通孔８ａの戸尻側孔縁とを同位置とすることが好ましく、このようにすることにより、主貫通孔７ｃの戸尻側孔縁がロック体用貫通孔８ａの戸尻側孔縁よりも戸尻側に位置して段差が形成されるもののように、主貫通孔７ｃにロック体４ａ下端が係止したときにドア体２が僅かに開放してしまうような不具合をなくすことができる。
尚、自動ドア装置１を通常の使用状態とする場合では、こじ開け防止装置６を下側ガイドレール３上から取り外しておくため、下側ガイドレール３の上面から上方に突出している起立片７ｂが通行の妨げになるような不具合はない。
【００２２】
叙述の如く構成された本形態において、こじ開け防止装置６は、従来のように、ドア体の上動を規制する部材をドア体とガイドレールとの間にそれぞれ設ける構成とは異なり、単にこじ開け防止装置６を、第一補助ロック片１０ａが下側ガイドレール３戸先側のロック受け５のロック体受け片５ａに閉鎖側から近接対向する状態で配設するだけでこじ開けを防止することができる。この結果、既設の引き戸式の自動ドア装置１に対し、何ら専門の作業者による取り付け工事等をすることなく、簡単、かつ、容易にこじ開け防止機能を付与することができ、緊急な要求に対しても対処することができる。
【００２３】
さらに、本発明が実施されたものにあっては、こじ開け防止装置６は、主プレート７にドア体２下端縁の表裏を覆蓋する起立片７ａにより、ドア体２の下端縁が覆蓋されていて、施錠装置（ロック体ユニット４）の近傍部位のドア体２下端縁とした側ガイドレール３との間に治具を挿し込み難くすることができて、防犯性に優れるが、ドア体２がこじ開け防止装置６ごと、第一係合ストロークＬ１を越えて遊びに相当するだけ持ち上げられたとしても、第一補助ロック片１０ａがロック体受け片５ａに係止することになって、こじ開け防止することができる。
【００２４】
さらに、このものでは、こじ開け防止装置６の起立片７ａとドア体２との間に無理矢理治具を挿し込んだりすることで、ドア体２のみを上動させられることも想定されるが、この場合に、ドア体２を第一ストロークＬ１を越えて遊び分だけ上動させたとしても、ロック体４ａが延出片３ｄ上に積層される二枚の第一スペーサ８のロック体用貫通孔８ｃの孔縁が第二補助ロック片として係止することになって、こじ開け防止することができる。
【００２５】
また、このものでは、主プレート７に主貫通孔７ｃが左右方向に長く形成されているため、第一、第二スペーサ８、９および補助ロックプレート１０とを主プレート７に対し左右方向位置調整自在に取り付けることが可能である。この結果、既設のドア体２に設けられる施錠装置の位置に対応して調整することが可能であり、このように調整した状態とした後は、施錠するべくドア体２を全閉姿勢とする以前の段階でこじ開け防止装置６を下側ガイドレール３に載置して、ドア体２を閉鎖させるだけでドア体２にこじ開け防止機能を付与することができる。
【００２６】
尚、本発明は前記実施の形態に限定されないことは勿論であって、ドア体が開口部に一枚だけ設けられる片引きタイプの場合では、こじ開け防止装置は、戸先側の戸枠にこじ開け防止装置の左端部を当接させる設置位置として、第一、第二補助ロック片（第一、第二スペーサ、補助ロックプレート）の組み込みを行うことで、こじ開け防止装置の設置位置の位置決めを容易に行うことができる。
【図面の簡単な説明】
【００２７】
【図１】自動ドア装置の概略正面図である。
【図２】要部の一部を切り欠いた正面断面図である。
【図３】要部の側面断面図である。
【図４】こじ開け防止装置の分解斜視図である。
【図５】こじ開け防止装置の設置状態を説明する斜視図である。
【図６】図６（Ａ）、（Ｂ）は、図２の拡大図、こじ開け防止装置によるこじ開け防止状態を説明する正面断面図である。
【図７】こじ開け防止装置によるこじ開け防止状態を説明する正面断面図である。
【符号の説明】
【００２８】
１    自動ドア装置
２    ドア体
３    下側ガイドレール
３ｃ    ガイド溝
４    ロック体ユニット
４ａ    ロック体
５    ロック受け
５ａ    ロック体受け片
６    こじ開け防止装置
７    主プレート
７ｃ    主貫通孔
８    第一スペーサ
８ａ    ロック体用貫通孔
９    第二スペーサ
１０    補助ロックプレート
１０ａ    第一補助ロック片
【図１】
2008138372.tif 000003
【図２】
2008138372.tif 000004
【図３】
2008138372.tif 000005
【図４】
2008138372.tif 000006
【図５】
2008138372.tif 000007
【図６】
2008138372.tif 000008
【図７】
2008138372.tif 000009